(57)【特許請求の範囲】
【請求項１】
洋風便器の後部上面に設置される本体部及び該本体部から洋風便器の外側に張り出す袖部を有した便座ボックスと、
該便座ボックス内に設置された温水洗浄機構と、
該袖部の上面に設けられた操作部とを有する温水洗浄装置において、
該操作部によって操作されるスイッチを有した回路基板を前記便座ボックスの本体部内に配置し、該操作部と該回路基板のスイッチとを動力伝達用ケーブルにて連動させたことを特徴とする温水洗浄装置。
【発明の詳細な説明】
【０００１】
【発明の属する技術分野】
本発明は、洋風便器に設置され、人体の臀部に向ってノズルから温水を噴出させて洗浄を行う温水洗浄装置（衛生洗浄装置、局部洗浄装置とも称されることがある。）に関する。詳しくは便座ボックスを備えた温水洗浄装置に関する。
【０００２】
【従来の技術】
温水洗浄装置は、周知の通り温水タンクあるいは給湯管などの温水源からの温水をポンプ又は給湯水圧を利用して洗浄ノズルに導き、該洗浄ノズル先端の噴出口から上方ないし斜め上方に噴出させるよう構成されている。
【０００３】
従来の温水洗浄装置の一例（特開平１１−１８１８６０号公報）について図２〜５を参照して説明する。この温水洗浄装置１は、温水洗浄手段６と温風乾燥手段（図示略）とを有する便座ボックス１０と、便座ボックス１０の本体部から張り出す袖部１０１に設けた本体スイッチパネル２よりなる。
【０００４】
上記各手段はスイッチパネル２により操作できるように構成してある。上記便座ボックス１０は、洗浄ノズル６ａ，６ｂ等よりなる温水洗浄手段６、温風乾燥手段を有している。また便座ボックス１０の本体部は、便座８１、便蓋８２を備え、陶器製便器８３の上方に配置してある。
【０００５】
スイッチパネル２は、図３に示すごとく、肛門洗浄、ビデ洗浄、温風乾燥等の作動をストップさせるストップボタン２０、肛門洗浄用操作ボタン２１、ビデ洗浄用操作ボタン２２、温風を吹き出させるドライボタン２３が配設されている。
【０００６】
また、洗浄の広がりを調整するためのワイド洗浄入／切ボタン２４、洗浄位置前進ボタン２５、その後退ボタン２６が配設されている。また、洗浄強さを調整するダイヤル２８、便座の温度の高さを調整するための便座ボタン２７、シャワー等の水温を調整する温水ボタン３０が配置されている。
【０００７】
図４は図２のＡ−Ａ線の断面図、図５は図４の操作面部分を拡大したものである。符号１０１ａ’は袖部１０１の上半分ハウジングを示し、上半部ハウジング１０１ａ’の下側には、絶縁基板３６を支持し、該絶縁基板３６に実装された各スイッチ要素３７の可動部３７ａを上半部ハウジング１０１ａ’の内壁に対面させた基板ホルダ３１１が配設されている。基板ホルダ３１１は、上部材３１１ａと下部材３１１ｂとが重ね合わされたものである。上部材３１１ａと下部材３１１ｂとの間にはスプリング３１２が介在され、上部材３１１ａは、スプリング３１２の力によって上半部ハウジング１０１ａ’の内壁に当接されている。絶縁基板３６は、上部材３１１ａと下部材３１１ｂとの間に介在され、上部材３１１ａにビス３１３によって固定され、かつ、上部材３１１ａによって各スイッチ要素３７も支持されている。そして、下部材３１１ｂは、例えば袖部１０１の下半部ハウジングから突出されたボス３１４に支持されている。
【０００８】
スイッチ要素３７の直上にキートップ３８が配置されると共に、該キートップ３８を窓３１ｂに封入すべく上半部ハウジング１０１ａ’の上面に接着等の手段で接合された樹脂３９が配置されている。樹脂３９は操作装置の操作面をなし、操作パネル及び文字板を兼ねた操作銘板である。窓３１ｂを覆う樹脂３９の文字部分３９ａは、所謂エンボス加工（膨らみをもたせる加工）され、キートップ３８を容易に押圧できるようになっている。スイッチ要素３７は、押圧されたキートップ３８に連動される可動部３７ａを有し、可動部３７ａが突没されることでスイッチング作用する。更に、絶縁基板３６は図外の制御装置と接続され、人体局部洗浄装置の各機能を操作可能に構成されている。
【０００９】
樹脂３９の上から指等によりキートップ３８を押圧すると、可動部３７ａが連動してスイッチ要素３７を動作させ、対応する機構を操作できることになる。なお、図３の操作面を構成する文字部分４０ｂの文字等は長期使用による文字消えを回避するため、樹脂３９の裏面に印刷層４０ａの手段によって付与されている。このため樹脂３９は透明素材が用いられる。
【００１０】
上記のようにスイッチパネル２を便座ボックス１０の本体部から側方に張り出す袖部１０１に設けたタイプの温水洗浄装置においては、この袖部１０１の幅を十分に大きくとる必要があった。即ち、スイッチパネル２の下側に種々のスイッチ要素３７と、回路素子とを搭載した回路基板（３６，３１１）を配置しているところから、袖部１０１はこの回路基板を収容しうる幅員とする必要があった。
【００１１】
【発明が解決しようとする課題】
トイレルームの内寸法が小さいと、袖部１０１の大きな温水洗浄装置を洋風便器上に設置できないことがある。また、仮に温水洗浄装置を設置しえたとしても、張り出しの大きな袖部は、トイレルームの清掃時の邪魔になり易い。
【００１２】
袖部を無くすためにリモコンを用いることもあるが、コスト高である。
【００１３】
本発明は、このような従来技術の問題点に鑑みてなされたものであり、袖部の張出幅がきわめて小さい温水洗浄装置を提供することを目的とする。
【００１４】
【課題を解決するための手段】
本発明の温水洗浄装置は、洋風便器の後部上面に設置される本体部及び該本体部から洋風便器の外側に張り出す袖部を有した便座ボックスと、該便座ボックス内に設置された温水洗浄機構と、該袖部の上面に設けられた操作部とを有する温水洗浄装置において、該操作部によって操作されるスイッチを有した回路基板を前記便座ボックスの本体部内に配置し、該操作部と該回路基板のスイッチとを動力伝達用ケーブルにて連動させたことを特徴とするものである。
【００１５】
かかる温水洗浄装置にあっては、回路基板を袖部ではなく便座ボックスの本体部内に配置しているため、袖部の幅員が著しく小さくて済むようになる。即ち、袖部の洋風便器側方への張り出しがきわめて小さなものとなる。
【００１６】
【発明の実施の形態】
以下、図面を参照して実施の形態について説明する。図１（ａ）は、実施の形態に係る温水洗浄装置の斜視図、図１（ｂ）は図１（ａ）のＢ−Ｂ線に沿う断面図である。
【００１７】
この温水洗浄装置は、洋風便器（図１では図示略）上に配置される本体部５１と、該本体部５１から洋風便器の側方に張り出す袖部５２とを有した便座ボックス５０を備えている。本体部５１に便座５３と便蓋５４とが上下方向回動自在に取り付けられている。袖部５２の上面には、温水洗浄装置の各機能を操作するための操作体として複数の押圧部５５が設けられている。
【００１８】
この押圧部５５は、肛門洗浄（シャワー洗浄）、ビデ洗浄、温風乾燥等の作動をストップさせるストップスイッチ用押圧部、肛門洗浄用押圧部、ビデ洗浄用押圧部、温風を吹き出させるドライスイッチ用押圧部、洗浄の広がりを調整するためのワイド洗浄入／切スイッチ用押圧部、洗浄位置前進スイッチ用押圧部、その後退スイッチ用押圧部、便座の温度の高さを調整するための便座温度調節スイッチ用押圧部、シャワー等の水温を調整する温水温度調節スイッチ用押圧部よりなる。
【００１９】
なお、袖部５２の前面部には洗浄強さ調節用ダイヤル５８が設けられているが、このダイヤル５８は袖部５２の上面に設けられてもよい。また、ダイヤル５８の代わりに洗浄強さ調節スイッチ用押圧部を袖部５２の上面部に設けてもよい。
【００２０】
この本体部５１内には、温水タンク、洗浄ノズル（シャワーノズル、チャームノズル）、切替バルブ、温風乾燥ファン、脱臭装置等が設置されている。これらの電装品を制御する回路及びスイッチを搭載した回路基板６０が便座ボックス５０の本体部５１内に設けられている。この本体部５１は必要に応じて高さを大きくとるように設計することができ、回路基板６０を収容するのに十分なスペースを有している。この実施の形態では、回路基板６０は温水タンク（図示略）の上側に配置されているが、他の箇所であってもよい。
【００２１】
この回路基板６０上に設置されたスイッチ６１と前記押圧部５５とは、プッシュケーブル６２によって連動されている。このプッシュケーブル６２は、屈曲可能なシース（鞘状の外管）６２ａ内に屈曲可能なワイヤ６２ｂを挿通させたものである。シース６２ａの一端は押圧部５５の下方のシース取付板６３に固定され、他端は回路基板６０の上側のシース取付板６４に固定されている。ワイヤ６２ｂの一端は、キートップ６５を介して押圧部５５に当接しており、ワイヤ６２ｂの他端はスイッチ６１に当接している。押圧部５５を押すと、ワイヤ６２ｂを介してスイッチ６１が押され、これにより温水洗浄装置の電装品の動作信号又は動作停止信号が発生する。
【００２２】
なお、図１では、プッシュケーブル６２は１本のみ図示されているが、押圧部５５と同数だけプッシュケーブル６２が配設されている。
【００２３】
このように、回路基板６０を便座ボックス５０の本体部５１内に配置しているため、袖部５２の幅員Ｗは、上面に所要数の押圧部５５を配置できるだけの小さなものでよい。従って、この温水洗浄装置を上面に配置した洋風便器にあっては、袖部５２の洋風便器側方への張り出しがきわめて小さいので、狭いトイレルームの洋風便器に対してもこの温水洗浄装置を設置することができる。
【００２４】
また、トイレルーム内の清掃時に袖部５２が邪魔にならない。
【００２５】
【発明の効果】
以上の通り、本発明の温水洗浄装置は袖部の側方への張り出しがきわめて小さいので、狭いトイレルーム内の洋風便器にもこの温水洗浄装置を設置でき、また、トイレルーム内の清掃時に袖部が邪魔にならず、清掃し易い。
【図面の簡単な説明】
【図１】（ａ）図は実施の形態に係る温水洗浄装置の斜視図、（ｂ）図は（ａ）図のＢ−Ｂ線に沿う断面図である。
【図２】従来の温水洗浄装置付き便器の斜視図である。
【図３】従来のスイッチパネルの平面図である。
【図４】図２のＡ−Ａ線に沿う断面図である。
【図５】図４の操作面部分の拡大図である。
【符号の説明】
１  温水洗浄装置
２  スイッチパネル
１０  便座ボックス
２０  ストップボタン
２１，２２，２３，２４，２５，２６  ボタン
２８  ダイヤル
５０  便座ボックス
５１  本体部
５２  袖部
５５  押圧部
５８  ダイヤル
６０  回路基板
６１  スイッチ
６２  プッシュケーブル
【図１】
0004158329.tif 000002
【図２】
0004158329.tif 000003
【図３】
0004158329.tif 000004
【図４】
0004158329.tif 000005
【図５】
0004158329.tif 000006